(57)【要約】【課題】文書の記録に際して、該文書の記録に適した給紙トレイが給紙不可の場合でも適切な記録紙への記録を可能にした画像形成装置およびその制御方法を提供する。【解決手段】特定サイズの記録紙を給紙可能な複数の給紙トレイと任意のサイズの記録紙を給紙可能な手差しトレイとを有する画像形成装置において、文書の記録に際して、複数の給紙トレイから該文書の記録に適した給紙トレイを選択し、該選択により選択した給紙トレイから給紙が可能な場合は、該選択した給紙トレイから給紙を行って文書の記録を行い、該選択した給紙トレイから給紙が不可な場合は、手差しトレイから給紙を行って文書の記録を行う。【選択図】　図１
2004091061.tif 000002
【特許請求の範囲】
【請求項１】
特定サイズの記録紙を給紙可能な複数の第１の給紙トレイと任意のサイズの記録紙を給紙可能な第２の給紙トレイとを有する画像形成装置において、
文書の記録に際して、前記複数の第１の給紙トレイから該文書の記録に適した給紙トレイを選択する選択手段と、
前記選択手段により選択した給紙トレイから給紙が可能な場合は、該選択した給紙トレイから給紙を行って前記文書の記録を行い、前記選択手段により選択した給紙トレイから給紙が不可な場合は、前記第２のトレイから給紙を行って前記文書の記録を行う給紙トレイ制御手段と
を具備することを特徴とする画像形成装置。
【請求項２】
前記第２の給紙トレイから給紙を行う際に、ユーザに対してその旨を通知する通知手段
を更に有することを特徴とする請求項１記載の画像形成装置。
【請求項３】
前記通知手段により前記第２の給紙トレイから給紙を行う旨の通知を受けた際に、これを許可するか否かを決定する許可手段
を更に具備することを特徴とする請求項２記載の画像形成装置。
【請求項４】
記録紙の片面若しくは両面に記録することを選択する両面／片面選択手段と、
前記第１の給紙トレイから給紙を行って記録を行う際には、前記両面／片面選択手段による選択に基づいて該記録紙に対する記録を制御し、
前記第２の給紙トレイから給紙を行って記録を行う際には、前記両面／片面選択手段による選択に係らず、該記録紙の片面に記録するように制御する記録制御手段と
を更に具備することを特徴とする請求項１記載の画像形成装置。
【請求項５】
記録紙の片面若しくは両面に記録することを選択する両面／片面選択手段と、
両面記録を許可する記録紙の紙質を予め設定する設定手段と、
前記第１の給紙トレイから給紙を行って記録を行う際には、前記両面／片面選択手段による選択に基づいて該記録紙に対する記録を制御し、前記第２の給紙トレイから給紙を行って記録を行う際には、該第２の給紙トレイから給紙される記録紙の紙質が前記設定手段で許可された紙質である場合は、前記両面／片面選択手段による選択に基づいて該記録紙に対する記録を制御し、該第２の給紙トレイから給紙される記録紙の紙質が前記設定手段で許可された紙質でない場合は、前記前記両面／片面選択手段による選択に係らず、該記録紙の片面に記録するように制御する記録制御手段と
を更に具備することを特徴とする請求項１記載の画像形成装置。
【請求項６】
前記第２の給紙トレイは、
ユーザが前記記録紙を手で挿入する手差し給紙トレイであることを特徴とする請求項１記載の画像形成装置。
【請求項７】
特定サイズの記録紙を給紙可能な複数の第１の給紙トレイと任意のサイズの記録紙を給紙可能な第２の給紙トレイとを有する画像形成装置の制御方法において、
文書の記録に際して、前記複数の第１の給紙トレイから該文書の記録に適した給紙トレイを選択し、
該選択した給紙トレイから給紙が可能な場合は、該選択した給紙トレイから給紙を行って前記文書の記録を行い、
該選択した給紙トレイから給紙が不可な場合は、前記第２のトレイから給紙を行って前記文書の記録を行う
ことを特徴とする画像形成装置の制御方法。
【請求項８】
前記第２の給紙トレイから給紙を行う際に、ユーザに対してその旨を通知する
ことを特徴とする請求項７記載の画像形成装置の制御方法。
【請求項９】
前記第２の給紙トレイから給紙を行う旨の通知を受けた際に、これを許可するか否かをユーザが選択する
ことを特徴とする請求項８記載の画像形成装置の制御方法。
【請求項１０】
記録紙の片面若しくは両面に記録することを選択し、
前記第１の給紙トレイから給紙を行って記録を行う際には、前記両面／片面選択手段による選択に基づいて該記録紙に対する記録を制御し、
前記第２の給紙トレイから給紙を行って記録を行う際には、前記両面／片面選択手段による選択に係らず、該記録紙の片面に記録するように制御する
ことを特徴とする請求項７記載の画像形成装置の制御方法。
【請求項１１】
記録紙の片面若しくは両面に記録することを選択するとともに、
両面記録を許可する記録紙の紙質を予め設定し、
前記第１の給紙トレイから給紙を行って記録を行う際には、前記両面／片面選択手段による選択に基づいて該記録紙に対する記録を制御し、
前記第２の給紙トレイから給紙を行って記録を行う際には、該第２の給紙トレイから給紙される記録紙の紙質が前記設定手段で許可された紙質である場合は、前記両面／片面選択手段による選択に基づいて該記録紙に対する記録を制御し、該第２の給紙トレイから給紙される記録紙の紙質が前記設定手段で許可された紙質でない場合は、前記前記両面／片面選択手段による選択に係らず、該記録紙の片面に記録するように制御する
ことを特徴とする請求項７記載の画像形成装置の制御方法。
【請求項１２】
前記第２の給紙トレイは、
ユーザが前記記録紙を手で挿入する手差し給紙トレイであることを特徴とする請求項７記載の画像形成装置の制御方法。
【発明の詳細な説明】
【０００１】
【発明の属する技術分野】
この発明は、画像形成装置およびその制御方法に関し、特に、文書の記録に際して、該文書の記録に適した給紙トレイが給紙不可の場合でも適切な記録紙への記録を可能にした画像形成装置およびその制御方法に関する。
【０００２】
【従来の技術】
一般に、複数の記録紙サイズをセットできるファクシミリ装置等の画像形成装置は、受信した文書のサイズに合わせて自動的に給紙トレイを選択して適切な記録紙にプリントアウトするように構成されている。
【０００３】
また、近年、このような画像形成装置は、ファクシミリ装置単体ではなく、コピーやプリンタ機能を備えた複合機として開発され、この結果、給紙トレイには、ファクシミリの受信文書をプリントアウトするには不適切な記録紙がセットされることがある。
【０００４】
そのため、ある特定の用途に使用したいというファクシミリ受信文書のプリントアウトには不適切な記録紙がトレイにセットされている場合は、そのトレイまたはその紙質の記録紙がセットされているトレイを自動給紙の対象から外す必要がある。
【０００５】
そこで、従来、これらの複合機は、特開平１１−３２１３９号公報に開示されているように、複数のトレイのうち、特定のトレイに対してプリンタ機能のためのプリント専用のトレイを設置したり、特開平７−２５０１９０公報に開示されているように、特定のトレイをファクシミリ受信文書専用として用いるように構成することで、機能によりプリントアウトする給紙トレイを使い分けるという構成が提案されている。
【０００６】
また、特開２００２−３３８８６号公報に開示されているように、手差しトレイに記録紙がセットされていたら給紙トレイからのプリントアウトを禁止し、手差しトレイにセットされた記録紙にプリントアウトするようにした構成も提案されている。
【０００７】
【発明が解決しようとする課題】
しかし、上記従来の構成においては、これらの機能や紙質により全てのトレイが自動給紙を禁止されてしまう場合が考慮されてないため、プリントアウトが行えず、そのため受信を拒否したり、受信したがプリントアウトできない状態のまま止まってしまうという不具合が発生する。
【０００８】
特に、上述した複合機では複数の利用者が一台の複合機を共有することが多いため、例えば紙質によってファクシミリの自動給紙の禁止を行う場合では、コピーやプリンタの利用者がトレイにファクシミリの自動給紙を禁止する記録紙をセットして利用している状態で、ファクシミリ受信した場合には、上記不具合が発生することが考えられる。
【０００９】
また、機能によってトレイを設定する場合を考えると、例えばファクシミリに設定されたトレイが故障してしまったり、トレイが抜かれていたりした場合、その他のトレイに記録紙が入っているにも関わらず、自動給紙が禁止されているため、ファクシミリ受信文書をプリントアウトすることができないという不具合が発生してしまう。
【００１０】
また、特開２００２−３３８８６号公報に開示されているように、ファクシミリ受信文書のプリントに手差しトレイを使用する構成の場合、多段の給紙トレイを実装している装置においては給紙トレイにサイズの違う記録紙をセットできるにもかかわらず、手差しトレイの用紙が使用されてしまうため、不便なことが多い。
【００１１】
また、特開２００１−１１１７６９号公報に開示されているように、手差しトレイに記録紙がセットされていたら受信を中断して、相手機からの再送を期待して制御する構成も提案されているが、相手機に再送機能が実装されてりる保証はなく、この結果、通信エラーで終わってしまうという不具合が発生することがあった。
【００１２】
そこで、この発明は、文書の記録に際して、該文書の記録に適した給紙トレイが給紙不可の場合でも適切な記録紙への記録を可能にした画像形成装置およびその制御方法を提供することを目的とする。
【００１３】
【課題を解決するための手段】
上記目的を達成するため、請求項１の発明は、特定サイズの記録紙を給紙可能な複数の第１の給紙トレイと任意のサイズの記録紙を給紙可能な第２の給紙トレイとを有する画像形成装置において、文書の記録に際して、前記複数の第１の給紙トレイから該文書の記録に適した給紙トレイを選択する選択手段と、前記選択手段により選択した給紙トレイから給紙が可能な場合は、該選択した給紙トレイから給紙を行って前記文書の記録を行い、前記選択手段により選択した給紙トレイから給紙が不可な場合は、前記第２のトレイから給紙を行って前記文書の記録を行う給紙トレイ制御手段とを具備することを特徴とする。
【００１４】
また、請求項２の発明は、請求項１の発明において、前記第２の給紙トレイから給紙を行う際に、ユーザに対してその旨を通知する通知手段を更に有することを特徴とする。
【００１５】
また、請求項３の発明は、請求項２の発明において、前記通知手段により前記第２の給紙トレイから給紙を行う旨の通知を受けた際に、これを許可するか否かを決定する許可手段を更に具備することを特徴とする。
【００１６】
また、請求項４の発明は、請求項１の発明において、記録紙の片面若しくは両面に記録することを選択する両面／片面選択手段と、前記第１の給紙トレイから給紙を行って記録を行う際には、前記両面／片面選択手段による選択に基づいて該記録紙に対する記録を制御し、前記第２の給紙トレイから給紙を行って記録を行う際には、前記両面／片面選択手段による選択に係らず、該記録紙の片面に記録するように制御する記録制御手段とを更に具備することを特徴とする。
【００１７】
また、請求項５の発明は、請求項１の発明において、記録紙の片面若しくは両面に記録することを選択する両面／片面選択手段と、両面記録を許可する記録紙の紙質を予め設定する設定手段と、前記第１の給紙トレイから給紙を行って記録を行う際には、前記両面／片面選択手段による選択に基づいて該記録紙に対する記録を制御し、前記第２の給紙トレイから給紙を行って記録を行う際には、該第２の給紙トレイから給紙される記録紙の紙質が前記設定手段で許可された紙質である場合は、前記両面／片面選択手段による選択に基づいて該記録紙に対する記録を制御し、該第２の給紙トレイから給紙される記録紙の紙質が前記設定手段で許可された紙質でない場合は、前記前記両面／片面選択手段による選択に係らず、該記録紙の片面に記録するように制御する記録制御手段とを更に具備することを特徴とする。
【００１８】
また、請求項６の発明は、請求項１の発明において、前記第２の給紙トレイは、ユーザが前記記録紙を手で挿入する手差し給紙トレイであることを特徴とする。
【００１９】
また、請求項７の発明は、特定サイズの記録紙を給紙可能な複数の第１の給紙トレイと任意のサイズの記録紙を給紙可能な第２の給紙トレイとを有する画像形成装置の制御方法において、文書の記録に際して、前記複数の第１の給紙トレイから該文書の記録に適した給紙トレイを選択し、該選択した給紙トレイから給紙が可能な場合は、該選択した給紙トレイから給紙を行って前記文書の記録を行い、該選択した給紙トレイから給紙が不可な場合は、前記第２のトレイから給紙を行って前記文書の記録を行うことを特徴とする。
【００２０】
また、請求項８の発明は、請求項７の発明において、前記第２の給紙トレイから給紙を行う際に、ユーザに対してその旨を通知することを特徴とする。
【００２１】
また、請求項９の発明は、請求項８の発明において、前記第２の給紙トレイから給紙を行う旨の通知を受けた際に、これを許可するか否かをユーザが選択することを特徴とする。
【００２２】
また、請求項１０の発明は、請求項７の発明において、記録紙の片面若しくは両面に記録することを選択し、前記第１の給紙トレイから給紙を行って記録を行う際には、前記両面／片面選択手段による選択に基づいて該記録紙に対する記録を制御し、前記第２の給紙トレイから給紙を行って記録を行う際には、前記両面／片面選択手段による選択に係らず、該記録紙の片面に記録するように制御することを特徴とする。
【００２３】
また、請求項１１の発明は、請求項７の発明において、記録紙の片面若しくは両面に記録することを選択するとともに、両面記録を許可する記録紙の紙質を予め設定し、前記第１の給紙トレイから給紙を行って記録を行う際には、前記両面／片面選択手段による選択に基づいて該記録紙に対する記録を制御し、前記第２の給紙トレイから給紙を行って記録を行う際には、該第２の給紙トレイから給紙される記録紙の紙質が前記設定手段で許可された紙質である場合は、前記両面／片面選択手段による選択に基づいて該記録紙に対する記録を制御し、該第２の給紙トレイから給紙される記録紙の紙質が前記設定手段で許可された紙質でない場合は、前記前記両面／片面選択手段による選択に係らず、該記録紙の片面に記録するように制御することを特徴とする。
【００２４】
また、請求項１２の発明は、請求項７の発明において、前記第２の給紙トレイは、ユーザが前記記録紙を手で挿入する手差し給紙トレイであることを特徴とする。
【００２５】
【発明の実施の形態】
以下、この発明に係わる画像形成装置およびその制御方法の実施の形態を添付図面を参照して詳細に説明する。
【００２６】
図１は、この発明に係わる画像形成装置の概略構成を示すブロック図である。
【００２７】
図１において、この画像形成装置は、通常のファクシミリ機能に加えて、コピー機能、外部から入力された情報をプリントするプリンタ機能を有するもので、中央演算処理装置（ＣＰＵ）１、主記憶装置２、補助記憶装置３、表示装置４、操作パネル５、ハードディスク（ＨＤＤ）６、画像処理装置７、画像入力装置８、画像出力装置９、給紙装置１０、画像読取装置１１、通信制御装置１２をバスライン１００に接続して構成される。
【００２８】
ここで、中央演算処理装置１は、この画像形成装置の伝体動作を統括制御するものである。
【００２９】
また、主記憶装置２は、中央演算処理装置１の制御プログラム等のシステムデータおよび各種データを記憶するものであり、補助記憶装置３は、不揮発性メモリ（ＮＶＲＡＭ）揮発性メモリＲＡＭ）などの各種データを保存可能な記憶装置若しくはその記憶領域を示す。
【００３０】
表示装置４は、この画像形成装置の操作状態、動作状態等を表示するものであり、操作パネル５は、この画像形成装置に対する各種操作入力を行うものである。
【００３１】
ハードディスク６は、主記憶装置２とともに、このファクシミリ装置の主記憶部を構成する。
【００３２】
画像処理装置７は、この画像形成装置で制御する画像データの圧縮／伸長などの処理を行うものである。
【００３３】
画像入力装置８は、公衆回線やローカルエリアネットワーク（ＬＡＮ）などの外部ネットワークから画像データを入力するもので、この画像入力装置８から入力された画像データは、画像処理装置７で圧縮／伸長などの処理が行われ、主記憶装置２またはハードディスク６に蓄積される。
【００３４】
画像出力装置９は、出力画像をプリントアウトするものである。また、給紙装置１０は、複数の給紙トレイで構成され、画像出力装置９からのプリントアウトに際して中央演算処理装置１の制御により適当な給紙トレイを選択して記録紙を画像出力装置９に供給する。この発明に係る特定サイズの記録紙を給紙可能な複数の第１の給紙トレイおよび任意のサイズの記録紙を給紙可能な第２の給紙トレイは、この給紙装置１０に含まれる。
【００３５】
画像読取装置１１は、スキャナなどから構成され、画像データの入力を行う。この画像読取装置１１から入力された画像データは、画像処理装置７で圧縮／伸長などの処理が行われ、主記憶装置２またはハードディスク６に蓄積される。
【００３６】
通信制御装置１２は、外部公衆回線と接続され、ファクシミリ信号の送受信処理を行う。この通信制御装置１２により外部公衆回線から受信したファクシミリ文書は、画像処理装置７で圧縮／伸長などの処理が行われ、主記憶装置２またはハードディスク６に蓄積される。
【００３７】
また、通信制御装置１２は、画像処理装置７で圧縮／伸長などの処理が行われた画像データを外部公衆回線にファクシミリ文書として送信する。
【００３８】
そして、この画像形成装置は、通信制御装置１２を介してファクシミリ文書の送受信処理を行うことでファクシミリ機能を実現し、画像読取装置１１で読み取った画像データを画像処理装置７で圧縮／伸長などの処理を行って画像出力装置９へ出力することでコピー機能を実現し、画像入力装置８を介して公衆回線やローカルエリアネットワークなどの外部ネットワークから入力した画像データを画像データを画像処理装置７で圧縮／伸長などの処理を行って画像出力装置９へ出力することでプリンタ機能を実現している。
【００３９】
さて、この画像形成装置は、文書の記録に際して、該文書の記録に適した給紙トレイが給紙不可の場合でも適切な記録紙への記録を可能にしている。
【００４０】
ファクシミリ受信の通信手順では、受信能力として記録紙サイズを相手機に通知する。このとき、受信したファクシミリ文書を確実にプリントアウトできるように、ＡＰＳ（Ａｕｔｏ　Ｐａｐｅｒ　Ｓｅｌｅｃｔ）で選択可能な給紙トレイの用紙サイズを相手機に通知する。
【００４１】
この発明は、受信したファクシミリ文書サイズとマシンに装着されている給紙トレイの用紙サイズが異なる場合に有効な制御を提供する。
【００４２】
このような状況になるケースとしては、ファクシミリ手順の受信宣言の際にセットされていた用紙サイズと実際に受信終了後にプリントアウトしようとした際の用紙サイズが違っているなどである。
【００４３】
このような事態は、受信開始は給紙トレイが正常な状況だったが、受信中または受信後プリントアウトまでの間にトレイが故障したりトレイが抜かれたりした場合に生じる。
【００４４】
図２は、図１に示した画像形成装置の補助記憶装置３に記憶されるトレイ管理情報の一例を示す図である。
【００４５】
図２において、この実施の形態の画像形成装置においては、給紙トレイ番号「１」〜「４」の４個の給紙トレイを有しており、給紙トレイ番号「１」の給紙トレイは、紙質が「普通紙」で、用紙サイズが「Ａ４横」の記録紙が収納されており、この給紙トレイの用紙の有無は「有」であり、その状態は、「Ｒｅａｄｙ」すなわち給紙可能状態にあることを示している。
【００４６】
また、給紙トレイ番号「２」の給紙トレイは、紙質が「厚紙」で、用紙サイズが「Ａ４横」の記録紙が収納されており、この給紙トレイの用紙の有無は「有」であり、その状態は、「Ｎｏｔ　Ｒｅａｄｙ」すなわち給紙不可状態にあることを示している。
【００４７】
また、給紙トレイ番号「３」の給紙トレイは、紙質が「ＯＨＰ」で、用紙サイズが「Ａ４縦」の記録紙が収納されており、この給紙トレイの用紙の有無は「有」であり、その状態は、「Ｂｒｏｋｅｎ」すなわち故障状態にあることを示している。
【００４８】
また、給紙トレイ番号「４」の給紙トレイは、紙質が「上質紙」で、用紙サイズが「Ａ３横」の記録紙が収納されており、この給紙トレイの用紙の有無は「無」であり、その状態は、「Ｎｏｔ　Ｒｅａｄｙ」すなわち給紙不可状態にあることを示している。
【００４９】
上記図２に示したトレイ管理情報は、各給紙トレイにセットされている用紙が定期的に検知されて、その都度更新される。
【００５０】
図３は、この実施の形態の画像形成装置の動作を示すフローチャートである。
【００５１】
図３において、画像形成装置に対してプリントアウトの指示が与えられ、プリントアウト処理が開始されると（ステップ４００）、まず、図２に示したトレイ管理情報を参照して、自動給紙が可能な給紙トレイが存在すか、すなわち、給紙トレイ番号「１」〜「４」の給紙トレイが自動給紙が可能な状態どうかを判断する（ステップ４０１）。
【００５２】
ここで、自動給紙が可能な状態の給紙トレイがあった場合は（ステップ４０２でＹＥＳ）、次に、原稿サイズと一致した記録紙トレイが存在するか、すなわち、この自動給紙が可能な状態の給紙トレイの中でプリントアウトする原稿のサイズと一致する記録紙が収納されている給紙トレイがあるかを調べる（ステップ４０３）。
【００５３】
ここで、原稿サイズと一致した記録紙トレイが存在する場合は（ステップ４０２でＹＥＳ）、その記録紙トレイから給紙を行ってプリントアウトする。例えばＡ４横の原稿を受信していたら給紙トレイ番号「１」給紙トレイから給紙を受けてプリントアウトする。
【００５４】
次に、プリントアウトの指示は両面プリントかを調べ（ステップ４０４）、両面プリントの場合は（ステップ４０４でＹＥＳ）、次のページの原稿を今プリントした用紙の裏面にプリントする両面プリントアウト処理に移行し（ステップ４０５）、両面プリントでない場合は（ステップ４０４でＮＯ）、次のページの原稿を次の用紙の同じ面にプリントする片面プリントアウト処理に移行する（ステップ４０６）。
【００５５】
ところで、ステップ４０１で、給紙可能なトレイが存在しないと判断された場合、すなわち、全ての給紙トレイが、「Ｎｏｔ　Ｒｅａｄｙ」若しくは「Ｂｒｏｋｅｎ」の状態にあるとき（ステップ４０１でＮＯ）、または、ステップ４０２で、原稿サイズと一致した記録紙と例が存在しない場合、すなわち、「Ｒｅａｄｙ」の状態の給紙トレイはあるが、この給紙トレイの記録紙のサイズがプリントアウトしようとする原稿サイズと一致しない場合（ステップ４０２でＮＯ）は、手差しトレイから給紙してもよいかのメッセージを表示する（ステップ４０７）。
【００５６】
この状態において、ユーザは手差しトレイの記録紙を確認して手差しトレイからプリントアウトしてよいか（ＯＫか否か）を判断する（ステップ４０８）。この判断において、ＯＫと判断されると（ステップ４０８でＹＥＳ）、ステップ４０６へ進み、片面プリントアウト処理を実行する。
【００５７】
また、ステップ４０８でＯＫでないと判断されると（ステップ４０８でＮＯ）、給紙トレイが使用可能な状態に戻ることによってプリントアウトができるようになるまで待つプリント待ち状態になる（ステップ４０９）。例えば、Ａ３横の原稿を受信している場合、図２に示したトレイ管理情報においては、Ａ３横の記録紙を収納するトレイ番号「４」の給紙トレイは、「Ｎｏｔ　Ｒｅａｄｙ」状態になっているため、この給紙トレイが「Ｒｅａｄｙ」状態になるのを待つ。
【００５８】
なお、上記実施の形態では、手差しトレイの記録紙にプリントアウトする場合は、マシン設定が両面プリントとなっていても常に片面プリントの制御を行うように構成したが、図４に示すように、紙質により両面プリントの許可／不許可を設定して記憶しておき、手差しトレイにセットされている紙質が両面プリントを許可していない場合にのみ、片面プリントを行うというように制御してもよい。
【００５９】
例えば、手差しトレイの紙質がＯＨＰの場合は、図４の設定によると両面プリントを禁止しているので、マシン設定が両面プリントとなっていても片面プリントを行う。
【００６０】
図５は、このように構成した場合の画像形成装置の動作を示すフローチャートである。
【００６１】
図５において、画像形成装置に対してプリントアウトの指示が与えられ、プリントアウト処理が開始されると（ステップ５００）、まず、図２に示したトレイ管理情報を参照して、自動給紙が可能な給紙トレイが存在すか、すなわち、給紙トレイ番号「１」〜「４」の給紙トレイが自動給紙が可能な状態どうかを判断する（ステップ４０１）。
【００６２】
ここで、自動給紙が可能な状態の給紙トレイがあった場合は（ステップ５０２でＹＥＳ）、次に、原稿サイズと一致した記録紙トレイが存在するか、すなわち、この自動給紙が可能な状態の給紙トレイの中でプリントアウトする原稿のサイズと一致する記録紙が収納されている給紙トレイがあるかを調べる（ステップ５０３）。
【００６３】
ここで、原稿サイズと一致した記録紙トレイが存在する場合は（ステップ５０２でＹＥＳ）、その記録紙トレイから給紙を行ってプリントアウトする。
【００６４】
次に、プリントアウトの指示は両面プリントかを調べ（ステップ５０４）、両面プリントの場合は（ステップ５０４でＹＥＳ）、次のページの原稿を今プリントした用紙の裏面にプリントする両面プリントアウト処理に移行し（ステップ５０５）、両面プリントでない場合は（ステップ５０４でＮＯ）、次のページの原稿を次の用紙の同じ面にプリントする片面プリントアウト処理に移行する（ステップ５０６）。
【００６５】
また、ステップ５０１で、給紙可能なトレイが存在しないと判断された場合、すなわち、全ての給紙トレイが、「Ｎｏｔ　Ｒｅａｄｙ」若しくは「Ｂｒｏｋｅｎ」の状態にあるとき（ステップ５０１でＮＯ）、または、ステップ５０２で、原稿サイズと一致した記録紙と例が存在しない場合、すなわち、「Ｒｅａｄｙ」の状態の給紙トレイはあるが、この給紙トレイの記録紙のサイズがプリントアウトしようとする原稿サイズと一致しない場合（ステップ５０２でＮＯ）は、手差しトレイから給紙してもよいかのメッセージを表示する（ステップ５０７）。
【００６６】
この状態において、ユーザは手差しトレイの記録紙を確認して手差しトレイからプリントアウトしてよいか（ＯＫか否か）を判断する（ステップ５０８）。この判断において、ＯＫと判断されると（ステップ５０８でＹＥＳ）、手差しトレイの記録紙の紙質が両面プリント可能かを調べる（ステップ５１０）。
【００６７】
このステップ５１０の判断は、図４に示した設定による。すなわち、ここで、手差しトレイの記録紙の紙質が両面プリントを許可された「普通紙」若しくは「上質紙」の場合は、両面プリントが可能と判断されて（ステップ５１０でＹＥＳ）、ステップ５０４に進み、次に、プリントアウトの指示は両面プリントかを調べ（ステップ５０４）、両面プリントの場合は（ステップ５０４でＹＥＳ）、次のページの原稿を今プリントした用紙の裏面にプリントする両面プリントアウト処理に移行し（ステップ５０５）、両面プリントでない場合は（ステップ５０４でＮＯ）、次のページの原稿を次の用紙の同じ面にプリントする片面プリントアウト処理に移行する（ステップ５０６）。
【００６８】
また、手差しトレイの記録紙の紙質が両面プリントが禁止された「厚紙」若しくは「ＯＨＰ」の場合は両面プリントが不可と判断されて（ステップ５１０でＮＯ）、ステップ５０６に進み、片面プリントアウト処理を実行する。
【００６９】
また、ステップ５０８でＯＫでないと判断されると（ステップ５０８でＮＯ）、給紙トレイが使用可能な状態に戻ることによってプリントアウトができるようになるまで待つプリント待ち状態になる（ステップ５０９）。
【００７０】
【発明の効果】
以上説明したようにこの発明によれば、
１）用紙サイズの不一致や用紙トレイの故障や用紙トレイ抜けなどによって自動給紙ができなくなった場合でも、自動給紙できる第１の給紙トレイとは異なる第２の給紙トレイ（例えば手差しトレイ）を用いることで、プリントアウトすることができ、これにより適切でない用紙にプリントアウトされてしまうといったことを避けることができる
２）第２の給紙トレイからプリントアウトされる場合にその旨をユーザに通知することで、ユーザは第２の給紙トレイに適切な用紙がセットされているかどうかを確認し、適切でない場合は適切な用紙に変更することができる
３）第２の給紙トレイからプリントアウトされる場合にユーザはプリントアウトを許可するか否かを選択できるように構成することで、ユーザは第２の給紙トレイに適切な用紙がセットされているかどうかを確認し、適切でない場合はプリントアウトをキャンセルまたは適切な用紙をセットするまでプリントアウト待ちとすることができる
４）第２の給紙トレイからプリントアウトされる場合に、両面にプリントアウトすることが適切でない用紙に誤って両面でプリントアウトすることがない
等の効果を奏する。
【図面の簡単な説明】
【図１】この発明に係わる画像形成装置の概略構成を示すブロック図である。
【図２】図１に示した画像形成装置の補助記憶装置３に記憶されるトレイ管理情報の一例を示す図である。
【図３】この実施の形態の画像形成装置の動作を示すフローチャートである。
【図４】紙質により両面プリントの許可／不許可を設定した設定例を示す図である。
【図５】この実施の形態の画像形成装置の他の動作を示すフローチャートである。
【符号の説明】
１　　中央演算処理装置（ＣＰＵ）
２　　主記憶装置
３　　補助記憶装置
４　　表示装置
５　　操作パネル
６　　ハードディスク（ＨＤＤ）
７　　画像処理装置
８　　画像入力装置
９　　画像出力装置
１０　　給紙装置
１１　　画像読取装置
１２　　通信制御装置
１００　　バスライン
【図１】
2004091061.tif 000003
【図２】
2004091061.tif 000004
【図３】
2004091061.tif 000005
【図４】
2004091061.tif 000006
【図５】
2004091061.tif 000007